(57)【特許請求の範囲】
【請求項１】
海底を含む水底に布設された鎧装ケーブルを揚陸させる水底布設鎧装ケーブルの揚陸部において、
前記鎧装ケーブルの揚陸部分の外周に、熱伝導性のよい金属線の被覆体またはヒートパイプの被覆体からなる放熱手段が装着され、該放熱手段の一部が水中に配置されていることを特徴とする水底布設鎧装ケーブルの揚陸部。
【請求項２】
海底を含む水底に布設された鎧装ケーブルを揚陸させる水底布設鎧装ケーブルの揚陸部において、
前記鎧装ケーブルの揚陸部分は鎧装体が除去された無鎧装ケーブルとなっており、その無鎧装ケーブルの外周に、熱伝導性のよい金属線の被覆体またはヒートパイプの被覆体からなる放熱手段が装着され、該放熱手段の一部が水中に配置されていることを特徴とする水底布設鎧装ケーブルの揚陸部。
【請求項３】
前記放熱手段は、水中に配置されている部分に放熱フィンを備えていることを特徴とする請求項１または２に記載の水底布設鎧装ケーブルの揚陸部。
【請求項４】
前記放熱手段は、水中に配置されている部分に放熱フィンを備え、該放熱フィンの各孔に前記熱伝導性のよい金属線又は前記ヒートパイプの端部が通され、該放熱フィンの各孔を通り抜けた前記熱伝導性のよい金属線又は前記ヒートパイプの先端に多層形フィン体が装着されて抜け止めされていることを特徴とする請求項１または２に記載の水底布設鎧装ケーブルの揚陸部。
【請求項５】
海底を含む水底に布設された鎧装ケーブルを揚陸させる水底布設鎧装ケーブルの揚陸部において、
前記鎧装ケーブルの揚陸部分の外周に、熱伝導性のよい金属線の被覆体またはヒートパイプの被覆体からなる放熱手段が装着され、該放熱手段の一部が揚陸された該ケーブルが布設されている人孔に配置されていることを特徴とする水底布設鎧装ケーブルの揚陸部。
【発明の詳細な説明】
【０００１】
【発明の属する技術分野】
本発明は、海底を含む水底に布設された鎧装ケーブルを揚陸させる水底布設鎧装ケーブルの揚陸部に関するものである。
【０００２】
【従来の技術】
海底を含む水底１に布設された鎧装ケーブル２の揚陸地点には、図６に示すように通常は護岸のための堤防３がある。水底に布設された鎧装ケーブル２は該堤防３の下部を貫通する管路４を通って揚陸されて、該管路４の端部の管口防水部５を経て地上の人孔６に、鎧装体８を除去した無鎧装ケーブル２ａの状態で布設される。
【０００３】
【発明が解決しようとする課題】
堤防３は高いため、その下の管路４は埋設深さが深く、熱抵抗が高くなる問題点がある。
【０００４】
また、管路４は揚陸地点から地上の人孔６に向かうため、傾斜があるのが常であり、満潮時の水位７Ａでは管路４が水中（海中）にあり、管路４内の鎧装ケーブル２は水冷されるが、干潮時の水位７Ｂでは高い部分の管路４が水に浸らず、水冷効果が期待できず、この部分がヒートスポットとなるので、鎧装ケーブル２のサイズが決められてしまう問題点がある。
【０００５】
本発明の目的は、揚陸地点での冷却を効率よく行える水底布設鎧装ケーブルの揚陸部を提供することにある。
【０００６】
【課題を解決するための手段】
本発明は、海底を含む水底に布設された鎧装ケーブルを揚陸させる水底布設鎧装ケーブルの揚陸部を改良の対象としている。
【０００７】
本発明に係る水底布設鎧装ケーブルの揚陸部においては、鎧装ケーブルの揚陸部分の外周に、熱伝導性のよい金属線の被覆体またはヒートパイプの被覆体からなる放熱手段を装着し、該放熱手段の一部を水中に配置する。
【０００８】
このようにすると、鎧装ケーブルの揚陸部分の熱は放熱手段を経て水中に放熱され、鎧装ケーブルの揚陸部分を効率よく冷却できる。このため、鎧装ケーブルの揚陸部分がヒートスポットとなるのを防止できる。
【０００９】
また本発明に係る水底布設鎧装ケーブルの揚陸部においては、鎧装ケーブルの揚陸部分は鎧装体を除去した無鎧装ケーブルの構造とし、その無鎧装ケーブルの外周に、熱伝導性のよい金属線の被覆体またはヒートパイプの被覆体からなる放熱手段を装着し、該放熱手段の一部を水中に配置する。
【００１０】
このように鎧装ケーブルの揚陸部分である無鎧装ケーブルを放熱手段により冷却すると、ケーブルは鎧装体を介さないで冷却されることになり、ケーブルから放熱手段への熱の伝達がよくなって、ケーブルの揚陸部分を一層効率よく冷却できる。
【００１１】
ケーブルの揚陸部分の外周に装着する放熱手段として、熱伝導性のよい金属線の被覆体を用いると、他の放熱手段を用いるより低コストで形成することができる。熱伝導性のよい金属線としては、例えば銅線，銅合金線，耐蝕性アルミ線等を用いることができる。
【００１２】
また、ケーブルの揚陸部分の外周に装着する放熱手段として、ヒートパイプの被覆体を用いると、熱伝導性のよい金属線の被覆体からなる放熱手段を用いる場合に比べて非常に効率よくケーブルの揚陸部分を冷却することができる。
【００１３】
また放熱手段は、水中に配置されている部分に放熱フィンを設けることができる。
【００１４】
このようにすると、水中の放熱フィンにより一層効率よくケーブルの揚陸部分を冷却することができる。
【００１５】
また放熱手段は、水中に配置されている部分に放熱フィンを設け、該放熱フィンの各孔に該放熱手段を構成している熱伝導性のよい金属線又はヒートパイプの端部を通し、該放熱フィンの各孔を通り抜けた熱伝導性のよい金属線又はヒートパイプの先端に多層形フィン体を装着して抜け止めする構造にすることもできる。
【００１６】
このようにすると、放熱手段から水中への放熱を一層効率よく行わせることができる。また、多層形フィン体を熱伝導性のよい金属線又はヒートパイプが放熱フィンの各孔から抜けるのを阻止する抜け止め体として兼用すると、金属線又はヒートパイプの抜け止め作業を効率よく行うことができると共に専用の抜け止め手段を設ける必要がなくなる。
【００１７】
また本発明に係る水底布設鎧装ケーブルの揚陸部においては、鎧装ケーブルの揚陸部分の外周に熱伝導性のよい金属線の被覆体またはヒートパイプの被覆体からなる放熱手段を装着し、該放熱手段の一部を揚陸された該ケーブルが布設されている人孔に配置することができる。
【００１８】
このようにしても、ケーブルの揚陸部分の熱は放熱手段を経て人孔に放熱され、ケーブルの揚陸部分を効率よく冷却できる。このため、ケーブルの揚陸部分がヒートスポットとなるのを防止できる。換気等している人孔内は、揚陸部分より温度が低いので放熱を支障なく行うことができる。
【００１９】
【発明の実施の形態】
図１は、本発明に係る水底布設鎧装ケーブルの揚陸部における実施の形態の第１例を示したものである。なお、前述した図６と対応する部分には、同一符号を付けて示している。
【００２０】
本例の水底布設鎧装ケーブルの揚陸部においては、海底を含む水底１に布設された鎧装ケーブル２の揚陸部分は鉄線よりなる鎧装体８が除去された無鎧装ケーブル２ａの状態で揚陸されている。無鎧装ケーブル２ａよりなる揚陸部分には放熱手段９が装着され、該放熱手段９の一部が水中に配置されている。本例の放熱手段９は、揚陸部分の無鎧装ケーブル２ａの外周に銅線等の熱伝導性のよい金属線１０を多数本ヘリカル状に巻き付けた被覆体により形成されている。
【００２１】
該放熱手段９の水中に配置されている部分には、銅等の熱伝導性のよい金属製の環状の放熱フィン１１が取付けられている。即ち、該放熱フィン１１は無鎧装ケーブル２ａに嵌め付けられ、該放熱フィン１１の外周の周方向に沿って設けられている図示しない各孔に熱伝導性のよい各金属線１０が通されて係止されている。
【００２２】
このようにすると、鎧装ケーブル２の揚陸部分である無鎧装ケーブル２ａの熱は放熱手段９を経て水中に放熱され、鎧装ケーブル２の揚陸部分を効率よく冷却できる。このため、鎧装ケーブル２の揚陸部分がヒートスポットとなり、送電容量が低下されるのを防止できる。
【００２３】
特に、本例のように鎧装ケーブル２の揚陸部分から鎧装体８を除去した無鎧装ケーブル２ａに放熱手段９を装着すると、ケーブルから放熱手段９への熱の伝達が一層よくなり、ケーブルの揚陸部分の冷却を一層効率よく行うことができる。
【００２４】
放熱手段９を熱伝導性のよい金属線１０の被覆体により形成すると、該放熱手段９を低コストで形成することができる。熱伝導性のよい金属線１０としては、銅線の代わりにアルミ線等を用いることもできる。
【００２５】
放熱手段９の水中に配置されている部分に放熱フィン１１を設けると、水中の該放熱フィン１１により一層効率よくケーブルの揚陸部分を冷却することができる。
【００２６】
本例では、鎧装ケーブル２の揚陸部分は鎧装体８を除去した無鎧装ケーブル２ａとしたが、この鎧装体８の除去作業は鎧装ケーブル２の布設後に行うので、布設時には鎧装体８で張力を負担でき、支障がない。また、無鎧装ケーブル２ａは揚陸箇所に設けられるので、船のアンカー等による損傷の恐れもない。
【００２７】
次に、本発明に係る水底布設鎧装ケーブルの揚陸部における実施の形態の第２例を、同じ図１を参照して説明する。
【００２８】
本例では、図１の構造で、放熱手段９が、揚陸部分の無鎧装ケーブル２ａの外周に、熱伝導性のよい金属線１０の代わりにヒートパイプを多数本ヘリカル状に巻き付けた被覆体により形成されている点で第１例と相違している。その他の点は、第１例と同様の構造になっている。
【００２９】
このようにヒートパイプの被覆体よりなる放熱手段９によれば、熱伝導性のよい金属線の被覆体よりなる放熱手段９に比べて非常に効率よくケーブルの揚陸部分を冷却することができる。
【００３０】
上記各例では、鎧装体８が除去された無鎧装ケーブル２ａに放熱手段９を装着したが、鎧装体８を除去しない鎧装ケーブル２の揚陸部分に放熱手段９を装着して該鎧装ケーブル２の揚陸部分の冷却を行うこともできる。この場合、鎧装体８はＦＲＰ線でなく、鉄線の如き金属線で形成されていることが好ましい。
【００３１】
図２は、本発明に係る水底布設鎧装ケーブルの揚陸部における実施の形態の第３例を示したものである。
【００３２】
本例では、銅製等の熱伝導性のよい金属製の筒体１２の外周に、銅製等の熱伝導性のよい金属製の複数枚の放熱フィン１１ａ，１１ｂ，１１ｃを取付けた多層形フィン体１３を、揚陸部分の無鎧装ケーブル２ａの外周に装着されている。多層形フィン体１３の端部に存在する放熱フィン１１ａの周方向に設けられた多数の孔１４に、放熱手段９を構成する熱伝導性のよい金属線１０又はヒートパイプの各端部が通されて係止されている。
【００３３】
このような構造にすると、一層効率よく鎧装ケーブル２の揚陸部である無鎧装ケーブル２ａを冷却することができる。
【００３４】
図３及び図４は、本発明に係る水底布設鎧装ケーブルの揚陸部における実施の形態の第４例を示したものである。
【００３５】
本例では、銅製等の熱伝導性のよい金属製の筒体１２の外周に、銅製等の熱伝導性のよい金属製の複数枚の放熱フィン１１ａ，１１ｂ，１１ｃを取付けた多層形フィン体１３を、放熱フィン１１の孔１４を通り抜けた熱伝導性のよい金属線１０又はヒートパイプの端部に筒体１２を圧着することにより装着している。この場合、多層形フィン体１３は熱伝導性のよい金属線１０又はヒートパイプが放熱フィン１１の孔１４から抜けるのを阻止するストッパーを兼ねている。
【００３６】
このような構造にしても、一層効率よく鎧装ケーブル２の揚陸部である無鎧装ケーブル２ａを冷却することができる。また、多層形フィン体１３を熱伝導性のよい金属線１０又はヒートパイプが放熱フィン１１の各孔１４から抜けるのを阻止する抜け止め体として兼用すると、金属線１０又はヒートパイプの抜け止め作業を効率よく行うことができると共に専用の抜け止め手段を設ける必要がなくなる。
【００３７】
なお、これら第３例及び第４例も、鎧装体８を除去しない鎧装ケーブル２の揚陸部分に放熱手段９を装着して該鎧装ケーブル２の揚陸部分の冷却を行うタイプのものにも適用することができることは勿論である。
【００３８】
図５は、本発明に係る水底布設鎧装ケーブルの揚陸部における実施の形態の第５例を示したものである。なお、前述した図１と対応する部分には、同一符号を付けて示している。
【００３９】
本例の水底布設鎧装ケーブルの揚陸部においては、海底を含む水底１に布設された鎧装ケーブル２の揚陸部分は鉄線よりなる鎧装体８が除去された無鎧装ケーブル２ａの状態で揚陸されている。無鎧装ケーブル２ａよりなる揚陸部分には放熱手段９が装着され、該放熱手段９の一部が陸上の人孔６に配置されている。放熱手段９は、揚陸部分の無鎧装ケーブル２ａの外周に銅線等の熱伝導性のよい金属線１０を多数本ヘリカル状に巻き付けた被覆体により形成されている場合と、熱伝導性のよい金属線１０の代わりにヒートパイプを多数本ヘリカル状に巻き付けた被覆体により形成されている場合とがある。人孔６内で放熱手段９の端部には、多層形フィン体１３が取付けられている。該多層形フィン体１３は、前述したものと同様に、銅製等の熱伝導性のよい金属製の筒体１２の外周に、銅製等の熱伝導性のよい金属製の複数枚の放熱フィン１１ａ，１１ｂ，１１ｃが取付けられた構造になっていて、筒体１２が無鎧装ケーブル２ａに嵌合されている。
【００４０】
このようにすると、ケーブルの揚陸部分の熱は放熱手段９を経て人孔６に放熱され、ケーブルの揚陸部分を効率よく冷却できる。特に、人孔６内で放熱手段９の端部には多層形フィン体１３が取付けられているので、放熱を一層良好に行わせることができる。また、この構造の場合には、干潮時に放熱手段９が水中に存在し得ない場合に、ケーブルの揚陸部分を良好に放熱することができる。
【００４１】
なお、この実施の形態の第５例においては、人孔６内での放熱手段９の放熱性能によっては、多層形フィン体１３を設けるものに限定されるものではなく、端に放熱手段９の端部を配置する場合、図１のような放熱フィン１１を設ける場合図３のような放熱フィン１１と多層形フィン体１３とを設ける場合等がある。
【００４２】
以下、本明細書に記載した複数の発明のうち、幾つかの発明についてその構成要件を記載する。
【００４３】
（１）  海底を含む水底に布設された鎧装ケーブルを傾斜した管路に通して揚陸させる水底布設鎧装ケーブルの揚陸部において、
前記鎧装ケーブルの揚陸部分の外周に放熱手段が装着され、該放熱手段の一部が水中に配置されていることを特徴とする水底布設鎧装ケーブルの揚陸部。
【００４４】
（２）  海底を含む水底に布設された鎧装ケーブルを傾斜した管路に通して揚陸させる水底布設鎧装ケーブルの揚陸部において、
前記鎧装ケーブルの揚陸部分は鎧装体が除去された無鎧装ケーブルとなっており、その無鎧装ケーブルに放熱手段が装着され、該放熱手段の一部が水中に配置されていることを特徴とする水底布設鎧装ケーブルの揚陸部。
【００４５】
（３）  前記放熱手段は、前記ケーブルの揚陸部分の外周に装着された熱伝導性のよい金属線の被覆体により形成されていることを特徴とする第１項または第２項に記載の水底布設鎧装ケーブルの揚陸部。
【００４６】
（４）  前記放熱手段は、前記ケーブルの揚陸部分の外周に装着されたヒートパイプの被覆体により形成されていることを特徴とする第１項または第２項に記載の水底布設鎧装ケーブルの揚陸部。
【００４７】
（５）  前記放熱手段は、水中に配置されている部分に放熱フィンを備えていることを特徴とする第１項〜第４項のいずれか１つに記載の水底布設鎧装ケーブルの揚陸部。
【００４８】
（６）  前記放熱手段は、水中に配置されている部分に放熱フィンを備え、該放熱フィンの各孔に前記熱伝導性のよい金属線又は前記ヒートパイプの端部が通され、該放熱フィンの各孔を通り抜けた前記熱伝導性のよい金属線又は前記ヒートパイプの先端に多層形フィン体が装着されて抜け止めされていることを特徴とする第３項または第４項に記載の水底布設鎧装ケーブルの揚陸部。
【００４９】
（７）  海底を含む水底に布設された鎧装ケーブルを傾斜した管路に通して揚陸させる水底布設鎧装ケーブルの揚陸部において、
前記鎧装ケーブルの揚陸部分の外周に放熱手段が装着され、該放熱手段の一部が揚陸された該ケーブルが布設されている人孔に配置されていることを特徴とする水底布設鎧装ケーブルの揚陸部。
【００５０】
（８）  海底を含む水底に布設された鎧装ケーブルを傾斜した管路に通して揚陸させる水底布設鎧装ケーブルの揚陸部において、
前記鎧装ケーブルの揚陸部分は鎧装体が除去された無鎧装ケーブルとなっており、その無鎧装ケーブルに放熱手段が装着され、該放熱手段の一部が揚陸された該ケーブルが布設されている人孔に配置されていることを特徴とする水底布設鎧装ケーブルの揚陸部。
【００５１】
（９）  前記放熱手段は、前記ケーブルの揚陸部分の外周に装着された熱伝導性のよい金属線の被覆体により形成されていることを特徴とする第７項または第８項に記載の水底布設鎧装ケーブルの揚陸部。
【００５２】
（１０）  前記放熱手段は、前記ケーブルの揚陸部分の外周に装着されたヒートパイプの被覆体により形成されていることを特徴とする第７項または第８項に記載の水底布設鎧装ケーブルの揚陸部。
【００５３】
（１１）  前記放熱手段は、前記人孔に配置されている部分に放熱フィンを備えていることを特徴とする第７項〜第１０項のいずれか１つに記載の水底布設鎧装ケーブルの揚陸部。
【００５４】
（１２）  前記放熱手段は、前記人孔に配置されている部分に放熱フィンを備え、該放熱フィンの各孔に前記熱伝導性のよい金属線又は前記ヒートパイプの端部が通され、該放熱フィンの各孔を通り抜けた前記熱伝導性のよい金属線又は前記ヒートパイプの先端に多層形フィン体が装着されて抜け止めされていることを特徴とする第９項または第１０項に記載の水底布設鎧装ケーブルの揚陸部。
【００５５】
【発明の効果】
本発明に係る水底布設鎧装ケーブルの揚陸部においては、鎧装ケーブルの揚陸部分の外周に熱伝導性のよい金属線の被覆体またはヒートパイプの被覆体からなる放熱手段を装着し、該放熱手段の一部を水中に配置しているので、鎧装ケーブルの揚陸部分の熱はこの放熱手段を経て水中に放熱され、鎧装ケーブルの揚陸部分を効率よく冷却することができる。このため、鎧装ケーブルの揚陸部分がヒートスポットとなるのを防止できる。
【００５６】
また本発明に係る他の水底布設鎧装ケーブルの揚陸部においては、鎧装ケーブルの揚陸部分は鎧装体が除去した無鎧装ケーブルの構造とし、その無鎧装ケーブルに熱伝導性のよい金属線の被覆体またはヒートパイプの被覆体からなる放熱手段を装着し、該放熱手段の一部を水中に配置しているので、揚陸部分のケーブルは鎧装体を介さないで冷却されることになり、ケーブルから放熱手段への熱の伝達がよくなって、ケーブルの揚陸部分を一層効率よく冷却することができる。
【００５７】
また、熱伝導性のよい金属線の被覆体よりなる放熱手段を用いると、放熱手段を低コストで形成することができる。
【００５８】
また、ヒートパイプの被覆体よりなる放熱手段を用いると、熱伝導性のよい金属線の被覆体よりなる放熱手段に比べて非常に効率よくケーブルの揚陸部分を冷却することができる。
【００５９】
また放熱手段の水中に配置されている部分に放熱フィンを設けると、該水中の放熱フィンにより一層効率よくケーブルの揚陸部分を冷却することができる。
【００６０】
また放熱手段として、水中に配置されている部分に放熱フィンを設け、該放熱フィンの各孔に該放熱手段を構成している熱伝導性のよい金属線又はヒートパイプの端部を通し、該放熱フィンの各孔を通り抜けた熱伝導性のよい金属線又はヒートパイプの先端に多層形フィン体を装着して抜け止めする構造のものを用いると、放熱手段から水中への放熱を一層効率よく行わせることができる。また、多層形フィン体を熱伝導性のよい金属線又はヒートパイプが放熱フィンの各孔から抜けるのを阻止する抜け止め体として兼用すると、金属線又はヒートパイプの抜け止め作業を効率よく行うことができると共に専用の抜け止め手段を設ける必要がなくなる利点がある。
【００６１】
また本発明に係る水底布設鎧装ケーブルの揚陸部においては、鎧装ケーブルの揚陸部分の外周に熱伝導性のよい金属線の被覆体またはヒートパイプの被覆体からなる放熱手段を装着し、該放熱手段の一部を揚陸された該ケーブルが布設されている人孔に配置したので、ケーブルの揚陸部分の熱は放熱手段を経て人孔に放熱されることになり、このためケーブルの揚陸部分を効率よく冷却することができる。それ故、ケーブルの揚陸部分がヒートスポットとなるのを防止できる。人孔は揚陸部分より温度が低いので放熱を支障なく行うことができる。
【図面の簡単な説明】
【図１】  本発明に係る水底布設鎧装ケーブルの揚陸部における実施の形態の第１例を示す縦断面図である。
【図２】  本発明に係る水底布設鎧装ケーブルの揚陸部における実施の形態の第３例を示した要部斜視図である。
【図３】  本発明に係る水底布設鎧装ケーブルの揚陸部における実施の形態の第４例を示した要部斜視図である。
【図４】  図３で用いている多層形フィン体の斜視図である。
【図５】  本発明に係る水底布設鎧装ケーブルの揚陸部における実施の形態の第５例を示す縦断面図である。
【図６】  従来の水底布設鎧装ケーブルの揚陸部の縦断面図である。
【符号の説明】
１  海底を含む水底
２  鎧装ケーブル
２ａ  無鎧装ケーブル
３  堤防
４  管路
５  管口防水部
６  人孔
７Ａ  満潮時の水位
７Ｂ  干潮時の水位
８  鎧装体
９  放熱手段
１０  熱伝導性のよい金属線
１１，１１ａ，１１ｂ，１１ｃ  放熱フィン
１２  筒体
１３  多層形フィン体
１４  孔
【図１】
0003675913.tif 000002
【図２】
0003675913.tif 000003
【図３】
0003675913.tif 000004
【図４】
0003675913.tif 000005
【図５】
0003675913.tif 000006
【図６】
0003675913.tif 000007